(57)【特許請求の範囲】
【請求項１】
複層建築物に敷設する立体庭園の樹木の支持システムにおいて、
格子、網状等の樹木支持用骨組（４０）と、前記樹木支持用骨組（４０）の上で緊結された樹木を支持する支柱（８１）と、前記支柱（８１）と前記樹木支持用骨組（４０）を連結する連結金物（８０）と、支柱（８１）と樹木を連結する連結金物（８０a）と、建築躯体に取り付けた支柱（６５）からなり、前記樹木支持用骨組（４０）または樹木を支持する支柱（８１）を、前記複層建築物の床、前記建築躯体に取り付けた支柱（６５）、または、建築躯体に取り付け、前記建築躯体に取り付けた支柱（６５）を、建築躯体に取り付けまたは一体施工し、建築躯体上に施工した防水層を、前記支柱（６５）上部に取り付けた笠木下まで立ち上げ、前記笠木に腕木を取り付け、前記腕木または笠木に、前記樹木支持用骨組（４０）または連結金物（８０）を取り付けることによって、樹木支持用骨組（４０）または支柱（８１）を建築躯体に連結したことを特徴とする立体庭園における樹木の支持システム。
【請求項２】
前記樹木の根が前記樹木支示用骨組（４０）に絡んだ後に、支柱（８１）及び支柱（８１）と樹木の連結金物（８０a）を撤去できることを特徴とする請求項１記載の立体庭園における樹木の支持システム。
【請求項３】
前記建築躯体に取り付けた支柱（６５）を、建築躯体に取り付けたアンカーボルト（９６）に接合することを特徴とする請求項１記載の立体庭園における樹木の支持システム。
【請求項４】
前記連結金物（８０）に鋼線などでなる支柱（８１）を連結し、前記支柱（８１）と、支柱（８１）と樹木を連結する連結金物（８０a）を連結して樹木を支持することを特徴とする請求項１〜３のいずれか一つに記載の立体庭園における樹木の支持システム。
【請求項５】
前記連結金物（８０）と丸太などの支柱（８１）脚に外嵌した筒状の連結金物（８２）を接合して、前記丸太などの支柱（８１）上部と樹木を連結することによって、樹木を支持することを特徴とする請求項１〜３のいずれか一つに記載の立体庭園における樹木の支持システム。
【請求項６】
丸太などの支柱（８１）上部に外嵌した筒状の連結金物（８５）と、樹木に外嵌した筒状の連結金物（８７）を接合することによって、樹木を支持することを特徴とする請求項１〜３または５のいずれか一つに記載の立体庭園における樹木の支持システム。
【請求項７】
前記樹木に外嵌した筒状の連結金物（８７）を、二つに分割して双方をヒンジ接合することによって、樹木に外嵌と取り外しをできるようにして、樹木に被せ、ボルト等の連結金物で、前記筒状の連結金物（８７）を樹木に外嵌、固定し、前記筒状の連結金物（８７）に取り付けられた連結金物（８９）と、丸太などの支柱上部に外嵌した筒状の連結金物（８５）を接合することによって、樹木を支持することを特徴とする請求項６記載の樹木の支持システム。
【請求項８】
樹木に布、革製等のベルトを締め付け、前記ベルトに取り付けられたベルト付の連結金物（８０b）と支柱（８１）、または、丸太などの支柱（８１）上部に外嵌した筒状の連結金物（８５）を接合することによって、樹木を支持することを特徴とする請求項１〜５までのいずれか一つに記載の立体庭園における樹木の支持システム。
【請求項９】
前記丸太などの支柱（８１）上部に外嵌した連結金物（８５）または樹木に外嵌した筒状の連結金物（８７）を、片方はヒンジ付きボルトまたはヒンジ付きボルト付き、別な片方はヒンジ付きプレートまたはヒンジ付きプレート付きとして、連結金物（８５）と連結金物（８７）を相互にヒンジ接合して支柱（８１）を自由な角度に調整できることを特徴とする請求項６または７に記載の樹木の支持システム。
【請求項１０】
樹木の根を前記樹木支持用骨組（４０）に絡ませた後立体庭園へ搬入し、前記樹木支持用骨組（４０）を、前記複層建築物の床、前記建築躯体に取り付けた支柱（６５）、または、建築躯体に取り付けることを特徴とする請求項１または３〜９までのいずれか一つに記載の立体庭園における樹木の支持システム。
【請求項１１】
前記樹木支持用骨組（４０）を３次元網状体としたことを特徴とする請求項１〜１０までのいずれか一つに記載の立体庭園における樹木の支持システム。
【請求項１２】
前記樹木支持用骨組（４０）、前記樹木を支える支柱（８１）、または、前記連結金物（８０）を建築躯体（６４）の替りに防水層上のコンクリートに取り付け、防水層上に張り付けまたは設置したことを特徴とする請求項１〜１１までのいずれか一つに記載の立体庭園における樹木の支持システム。
【請求項１３】
前記樹木支持用骨組（４０）または支柱（６５）に、炭素繊維、合成樹脂、金属または木材を用いたことを特徴とする請求項１〜１２までいずれか一つに記載の立体庭園における樹木の支持システム。
【発明の詳細な説明】
【技術分野】
【０００１】
本発明は、複層建築物に敷設する立体庭園における樹木の支持システムに関するものである。立体庭園は、屋上庭園を含む。樹木の支持方法については、高木を植えるにしても用土等による建築物への荷重負担を最小限にすること、建築躯体への水の浸入を防ぐこと、維持管理が容易であることがポイントになる。
【背景技術】
【０００２】
屋上庭園の建築の防水と関係付けた施工方法の技術があった。（特許文献１、２参照）
【０００３】
植物の倒伏防止装置及び自動潅水装置を備えた分割ユニット式庭園の技術があった。（特許文献３参照）
【０００４】
人口地盤上での樹木の支持方法の技術があった。（特許文献４参照）
【特許文献１】特開２００２−８４８７５
【特許文献２】特開２００４−２９３０３１
【特許文献３】特開２００４−４９１５６
【特許文献４】特開平１０−１４４１９
【発明の開示】
【発明が解決しようとする課題】
【０００５】
都市はますます高層化し、緑が少なくなってきている。高層ビル群の中では地上の緑だけでは十分ではない。ヒートアイランドの公害も発生している。二酸化炭素削減の課題もある。建築物に敷設した立体庭園（ヴァーチカルガーデン）が望まれる。
【０００６】
立体庭園の樹木の支持方法においては、外観上の配慮から支柱を使わず（仮支柱を除く）、なおかつ用土の荷重を減らして建築物への荷重負担を減らすことが望まれる。また、高木を植栽する場合、強風に対して転倒しないようにするためには、高木を容器に入れて置くだけでなく建築躯体と連結して支持することが必要となる。その場合建築物への防水性を図りながらどのように高木を建築躯体で支持するのかが課題になる。
【課題を解決するための手段】
【０００７】
複層建築物に敷設する立体庭園の樹木の支持システムにおいて、
格子、網状等の樹木支持用骨組（４０）と、前記樹木支持用骨組（４０）の上で緊結された樹木を支持する支柱（８１）と、前記支柱（８１）と前記樹木支持用骨組（４０）を連結する連結金物（８０）と、支柱（８１）と樹木を連結する連結金物（８０a）と、建築躯体に取り付けた支柱（６５）からなり、前記樹木支持用骨組（４０）または樹木を支持する支柱（８１）を、前記複層建築物の床、前記建築躯体に取り付けた支柱（６５）、または、建築躯体に取り付け、前記建築躯体に取り付けた支柱（６５）を、建築躯体に取り付けまたは一体施工し、建築躯体上に施工した防水層を、前記支柱（６５）上部に取り付けた笠木下まで立ち上げ、前記笠木に腕木を取り付け、前記腕木または笠木に、前記樹木支持用骨組（４０）または連結金物（８０）を取り付けることによって、樹木支持用骨組（４０）または支柱（８１）を建築躯体に連結したことを特徴とする立体庭園における樹木の支持システムである。
【０００８】
前記樹木の根が前記樹木支示用骨組（４０）に絡んだ後に、支柱（８１）及び支柱（８１）と樹木の連結金物（８０a）を撤去できることを特徴とする。
【０００９】
前記建築躯体に取り付けた支柱（６５）を、建築躯体に取り付けたアンカーボルト（９６）に接合することを特徴とする。
【００１０】
前記連結金物（８０）に鋼線などでなる支柱（８１）を連結し、前記支柱（８１）と、支柱（８１）と樹木を連結する連結金物（８０a）を連結して樹木を支持することを特徴とする。
【００１１】
丸太などの支柱（８１）上部に外嵌した筒状の連結金物（８５）と、樹木に外嵌した筒状の連結金物（８７）を接合することによって、樹木を支持することを特徴とする。
【００１２】
丸太などの支柱上部に外嵌した筒状の連結金物と、樹木に外嵌した筒状の連結金物を接合することによって、樹木を支持することを特徴とする。
【００１３】
前記樹木に外嵌した筒状の連結金物（８７）を、二つに分割して双方をヒンジ接合することによって、樹木に外嵌と取り外しをできるようにして、樹木に被せ、ボルト等の連結金物で、前記筒状の連結金物（８７）を樹木に外嵌、固定し、前記筒状の連結金物（８７）に取り付けられた連結金物（８９）と、丸太などの支柱上部に外嵌した筒状の連結金物（８５）を接合することによって、樹木を支持することを特徴とする。
【００１４】
樹木に布、革製等のベルトを締め付け、前記ベルトに取り付けられたベルト付の連結金物（８０b）と支柱（８１）、または、丸太などの支柱（８１）上部に外嵌した筒状の連結金物（８５）を接合することによって、樹木を支持することを特徴とする。
【００１５】
前記丸太などの支柱（８１）上部に外嵌した連結金物（８５）または樹木に外嵌した筒状の連結金物（８７）を、片方はヒンジ付きボルトまたはヒンジ付きボルト付き、別な片方はヒンジ付きプレートまたはヒンジ付きプレート付きとして、連結金物（８５）と連結金物（８７）を相互にヒンジ接合して支柱（８１）を自由な角度に調整できることを特徴とする。
【００１６】
樹木の根を前記樹木支持用骨組（４０）に絡ませた後立体庭園へ搬入し、前記樹木支持用骨組（４０）を、前記複層建築物の床、前記建築躯体に取り付けた支柱（６５）、または、建築躯体に取り付けることを特徴とする。
【００１７】
前記樹木支持用骨組（４０）を３次元網状体としたことを特徴とする。
【００１８】
前記樹木支持用骨組（４０）、前記樹木を支える支柱（８１）、または、前記連結金物（８０）を建築躯体（６４）の替りに防水層上のコンクリートに取り付け、防水層上に張り付けまたは設置したことを特徴とする。
【００１９】
前記樹木支持用骨組（４０）または支柱（６５）に、炭素繊維、合成樹脂、金属または木材を用いたことを特徴とする。
【発明を実施するための最良の形態】
【００２０】
以下、本発明を図示する実施形態に基づいて説明する。
図１〜図７参照。本発明は、複層建築物に敷設する立体庭園の樹木の支持システムにおいて、
格子、網状等の樹木支持用骨組（４０）と、前記樹木支持用骨組（４０）の上で緊結された樹木を支持する支柱（８１）と、前記支柱（８１）と前記樹木支持用骨組（４０）を連結する連結金物（８０）と、支柱（８１）と樹木を連結する連結金物（８０a）と、建築躯体に取り付けた支柱（６５）からなり、前記樹木支持用骨組（４０）または樹木を支持する支柱（８１）を、前記複層建築物の床、前記建築躯体に取り付けた支柱（６５）、または、建築躯体に取り付けることを特徴とする立体庭園における樹木の支持システムである。
図１は、樹木支持用骨組（４０）を、平面視所定の間隔で配置した複数の同心円バー（５２）とそれに直交する放射状バー（５３）で構成してなる円形格子状骨組（５５）とし、円形格子状骨組（５５）を、立体庭園（５０）の床（５６）上に取り付け、円形格子状骨組（５５）の上に樹木（５１）を置き、その根（３６）を円形格子状骨組（５５）に被覆鋼線、生分解材等の緊結材（６０）で緊結して、樹木を支持する実施例である。円形格子状骨組（５５）は、縦横の格子状骨組であっても良いが、円形格子状骨組の方が、力学的に合理的で、骨組の質量は少なくてすむ。
図２、図３は、樹木（５１）の根（３６）が片根（根が片側だけ）の場合、根だけを固定するだけでは樹木の支持が充分ではないので、支柱（８１）を併用した例を示している。図２は、支持柱に鋼線（８１）を使った例で、図３は、支持柱に丸太（８１）を使った例である。樹木支持用骨組（４０）に連結金物（８０）を取り付け、連結金物（８０）に鋼線（８１）または丸太（８１）などの支柱を連結し、前記支柱上部と樹木（５１）を連結して、樹木を支持し、根（３６）が樹木支持用骨組（４０）に絡んだ後支柱（８１）と樹木を連結する連結金物（８０a）を撤去することができる。
【００２１】
図６参照。前記建築躯体（６４）に取り付けた支柱(６５)を、建築躯体（６４）に取り付けたアンカー（９６）にボルト（９０）接合するなど、容易に取り付けと取り外し可能な方法で取り付け、建築躯体への水の浸入も防ぐことを特徴とする。
【００２２】
図５、図６参照。建築躯体（６４）に支柱（６５）を取り付けまたは一体施工し、建築躯体（６４）上に施工した防水層（６３）を、支柱（６５）上部に取り付けた笠木（６６）下まで立ち上げ、前記笠木（６６，６７）に腕木（６８）を取り付け、前記腕木（６８）または笠木（６６，６７）に、樹木支持用骨組（４０）または連結金物（８０）を取り付ける。図５は、コンクリート打ちする前に支柱（６５）を建築躯体（６４）にアンカーした例を示し、図６は、コンクリート打ちまたは防水施工した後に支柱（６５）を取り付けた例を示す。
図６において、防水層を養生するための養生管（９５）、潅水スペースを造るための成型透水板（９７）が示されている。
樹木支持用骨組（４０）の替りに、花壇等を取り付けても良い。
【００２３】
図３、図４の（１）、（２）参照。
樹木支持用骨組（４０）に連結金物（８０）を取り付け、連結金物（８０）と丸太（８１）などの支柱脚に外嵌した筒状の連結金物（８２）を接合して、前記支柱（８１）上部と樹木（５１）を連結することによって、樹木（５１）を支持する。
【００２４】
図３、図４参照。丸太などの支柱（８１）上部に外嵌した筒状の連結金物（８５）と、樹木に外嵌した筒状の連結金物（８７）を接合する。
【００２５】
図４の（３）、図３の（１）参照。前記筒状の連結金物（８７）において、筒状の連結金物（８７）を二つに分割、双方をヒンジ接合する等によって、樹木（５１）に外嵌、取り外しできるようにして、樹木（５１）に被せ、ボルト等の連結金物（８０）で、前記筒状の連結金物（８７）を樹木（５１）に外嵌、固定し、前記筒状の連結金物（８７）に取り付けられた連結金物（８０）と、丸太などの支柱上部に外嵌した筒状の連結金物（８５）を接合することによって、樹木（５１）を支持する。実施例においては、筒状の連結金物（８７）に複数の孔（９４）を横列にあけておき、筒状の連結金物（８７）を開いて樹木（５１）に被せ、筒状の連結金物（８７）を閉じて双方の孔（９４）を合わせて双方の孔（９４）にボルト等の連結金物（８０，８９）を差込み、固定し、筒状の連結金物（８７）の直径を樹木（５１）の直径に合わせ、複数の孔（９４）を用いて複数のボルト等の連結金物（８０，８９）を取り付けとしている。筒状の連結金物（８７）と樹木（５１）の隙間には、養生シート（９３）または楔が挟まれることになる。ボルト（９１）は、支柱（８１）に筒状の連結金物（８７）を固定するためのボルトである。
【００２６】
図７参照。樹木に布、革製等のベルト（９８）を締め付け、前記ベルト（９８）に取り付けられたベルト付の連結金物（８０ｂ）と支柱（８１）上部に外嵌した筒状の連結金物を接合することによって、樹木を支持する。実施例では、ベルト（９８）に連結金物差込孔（１００）を横にあけておき、ベルト付の連結金物（８０ｂ）をベルト裏側から差込み、９０度回転、縦向きにして使用している。ベルト付の連結金物（８０ｂ）の裏側には、裏板（１０１）があって、ベルト付の連結金物（８０ｂ）が、ベルト（９８）から抜けることはない。
【００２７】
図４参照。前記丸太などの支柱（８１）上部に外嵌した連結金物（８５）または樹木に外嵌した筒状の連結金物（８７）を、片方はヒンジ付きボルト（８４）またはヒンジ付きボルト（８４）付き、別な片方はヒンジ付きプレート（８０）またはヒンジ付きプレート（８６）付きとして、連結金物（８０，８２，８７）を相互にヒンジ接合して支柱等を自由な角度に調整できる。前記、図４及び図７に図示された連結金物（８０、８２，８５，８７）、ヒンジ付きボルト（８４，８９）及びベルト（９８）は、複層建築物での建築躯体（６４）、樹枝支持用骨組（４０）、樹枝を支える支柱（６５，８１）と連携、組み合わせすると効果的である。
【００２８】
図１参照。樹木の根（３６）を前記樹木支持用骨組（４０）に絡ませた後立体庭園へ搬入し、前記樹枝支持用骨組（４０）を、前記複層建築物の床、前記建築躯体に取り付けた支柱（６５）、または、建築躯体に取り付ける。
【００２９】
図４（１）、図５（１）、図６（２）参照。前記樹木支持用骨組（４０）を３次元網状体とすることによって、樹木の根をより多く樹木支持用骨組（４０）に絡ませ、より強固な樹木の支持をすることができる。
【００３０】
前記樹木支持用骨組（４０）、前記樹木を支える支柱（６５）、または、前記連結金物（８０）を建築躯体の替りに防水層上のコンクリートに取り付け、防水層上に張り付けまたは設置したことを特徴とする。図示を省略する。
【００３１】
前記樹木支持用骨組（４０）または支柱（６５）に、炭素繊維、合成樹脂、金属または木材を用いる。
【図面の簡単な説明】
【００３２】
【図１】（１）は、樹木の支持方法を示す断面図。（２）は、平面図。
【図２】（１）は、別な樹木の支持方法を示す断面図。（２）は、平面図。
【図３】（１）は、別な樹木の支持方法を示す断面図。（２）は、平面図。
【図４】（１）は、支柱脚の取り付けを示す正面図。（２）は、（１）のＢ―Ｂ断面図。（３）は、樹木と支柱上部の取り付けを示す平面図。
【図５】（２）、（３）は、別な樹木の支持方法を示す平面図、（１）は、（２）（３）のＡ―Ａ断面図。
【図６】（１）は、別な樹木の支持方法を示す平面図、（２）は、（１）のＣ―Ｃ断面図。
【図７】（１）は、別な樹木の支持方法を示す正面図、（２）は平断面図。
【符号の説明】
【００３３】
３６          根
４０          樹枝支持用骨組
５１          樹木
５２          同心円バー
５３          放射状バー
５４          脚
５５          円形格子状骨組
５９          用土
６０          緊結材
６３          防水層
６４          建築躯体
６５          支柱
６５a         支柱下部
６６、６７    笠木
６８          腕木
６９          接合金物
７０、７１    締め付ナット
７２          リブプレート
７３、９３    保護シート
８０          連結金物
８０a         連結金物
８０ｂ        ベルト付の連結金物
８６          ヒンジ付きプレート
８１          支柱
８２、８５、８７筒状の連結金物
８３、８８    締め付けナット
８４、８９    ヒンジ付きボルト
９０          ボルト
９１          押えボルト
９２          座金
９３          養生シート
９４          孔
９５          養生管
９６          アンカーボルト
９７          成型透水板
９８          ベルト
９９          ベルト止め金具
１００          連結金物差込孔
１０１          裏板
【図１】
0004517120.tif 000002
【図２】
0004517120.tif 000003
【図３】
0004517120.tif 000004
【図４】
0004517120.tif 000005
【図５】
0004517120.tif 000006
【図６】
0004517120.tif 000007
【図７】
0004517120.tif 000008